(57)【要約】【課題】固定用構造物への係止およびそれからの取り外しが円滑に行えるフックを提供する。【解決手段】ストッパ６が、ピン９のまわりに、フック開口を閉じる閉位置と開く開位置の間で旋回する。ハンドル１０が、ピン１１のまわりに最外側位置と最内側位置の間で旋回する。ハンドルのガイド溝１２と、ガイド溝内に突出するストッパのガイドピンによって、ハンドルとストッパが連結される。ストッパが閉位置をとりかつハンドルが第１の位置をとるとき、ガイドピン１３がガイド溝の第１の部分１２ａに位置し、ストッパが閉位置にロックされる。第１のバネ１４がストッパを閉位置に向けて付勢し、第２のバネ１５がハンドルを最外側位置に向けて付勢する。ストッパのロック位置から、ハンドルが最内側位置まで旋回させられるとき、ガイドピンがガイド溝の第１の部分から第２の部分１２ｂに進入し、ストッパが開位置まで旋回させられる。【選択図】図１
2016144495.tif 000002
【特許請求の範囲】
【請求項１】
高所作業用安全帯の命綱の先端に備えられ、前記命綱を前記高所作業現場の固定用構造物に係止するためのフックであって、
命綱連結用開口を備えた基端部と、前記基端部からのびる中間部と、前記中間部の先端に接続された逆Ｕ字状の先端部とからなる鉤形状を有するフック本体と、
ベース部分および前記ベース部分からのびる腕部分からなるレバー形状を有し、前記フック本体の内側縁側に配置されるとともに、前記ベース部分が第１のピンによって前記フック本体の前記中間部の前記基端部側に取り付けられて前記第１のピンのまわりに旋回可能とされたストッパと、を備え、
前記ストッパは、前記腕部分が前記フック本体の前記中間部から前記フック本体の先端までのびる閉位置と、前記腕部分が前記閉位置から内向きに押し込まれて前記フック本体の前記基端部および先端間を開く開位置とをとり、さらに、
レバー形状を有し、前記フック本体の外側縁側に配置されるとともに、一端が第２のピンによって前記フック本体の前記中間部の前記先端部側に取り付けられて、前記第２のピンのまわりに、前記フック本体から最も遠ざかる第１の位置と、前記フック本体に最も近づく第２の位置との間で旋回可能とされたハンドルを備え、
前記ハンドルの他端側には、前記ハンドルの幅方向にのびる第１の部分と、前記第１の部分の前記第１のピンから遠い方の端に接続し、前記遠い方の端から前記第１のピンから遠ざかる向きに前記ハンドルの長さ方向にのびる第２の部分とからなるガイド溝が形成され、
前記ストッパの前記ベース部分と前記ハンドルが部分的に重なるとともに、前記ストッパの前記ベース部分には、前記ハンドルの前記ガイド溝内に突出するガイドピンが設けられ、
前記ストッパが前記閉位置をとりかつ前記ハンドルが前記第１の位置をとるとき、前記ガイドピンが前記ガイド溝の前記第１の部分内に位置することによって前記ストッパが前記閉位置にロックされ、このとき、前記第１のピンから前記ガイドピンに向かってのびる直線が、前記フック本体の基端部から前記先端部に向かってのびる前記フック本体の中心軸に対して鈍角をなしており、さらに、
前記フック本体および前記ストッパ間に配置され、前記ストッパを前記閉位置に向けて付勢する第１のバネと、
前記フック本体および前記ハンドル間に配置され、前記ハンドルを前記第１の位置に向けて付勢する第２のバネと、を備え、
前記ストッパがロックされた位置から、前記ハンドルが前記第２の位置まで旋回せしめられるとき、前記ガイドピンが前記ガイド溝の前記第１の部分から前記第２の部分に進入してロックが解除された後、前記ガイドピンが前記ガイド溝の前記第２の部分に沿って移動し、それによって前記ストッパが前記開位置まで旋回せしめられるものであることを特徴とするフック。
【請求項２】
前記フック本体は平板状に形成され、前記ストッパは、対向する細長い一対の第１の壁と、前記一対の第１の壁の一側縁同士を接続する第２の壁とからなっていて、断面がコ字状であり、前記ストッパの前記ベース部分が前記フック本体の前記中間部に外側から嵌め込まれた状態で前記第１のピンによって前記フック本体に取り付けられ、前記ハンドルは、対向する細長い一対の側壁と、前記一対の側壁の一側縁同士を接続する接続壁とからなっていて、断面がコ字状であり、前記ハンドルが前記フック本体に外側から嵌め込まれた状態で前記第２のピンによって前記フック本体に取り付けられ、前記ハンドルの前記一対の側壁のそれぞれに前記ガイド溝が設けられ、前記ハンドルが部分的に前記フック本体および前記ストッパの前記ベース部分間に挿入される配置または前記ストッパの前記ベース部分の上に重なる配置で、前記ストッパの前記一対の第１の壁にそれぞれ、関係する前記ガイド溝内に突出する前記ガイドピンが設けられていることを特徴とする請求項１に記載のフック。
【請求項３】
前記ハンドルの前記ガイド溝の前記第２の部分は、前記第１のピン側に凹となる弧状に形成されていることを特徴とする請求項１または請求項２に記載のフック。
【発明の詳細な説明】
【技術分野】
【０００１】
本発明は、高所作業現場において使用される高所作業用安全帯、特に、その命綱の先端に備えられ、命綱を高所作業現場の固定用構造物に係止するために使用されるフックに関するものである。
【背景技術】
【０００２】
従来の高所作業用安全帯のフックとしては、例えば、特許文献１、２に記載されたものがある。これらのフックは、いずれも、鉤状のフック本体と、フック本体基部の内側縁側および外側縁側にそれぞれ取り付けられたストッパ（開閉キャップ）およびハンドル（安全装置）を備えている。
【０００３】
この場合、ストッパは、その一端において第１のピンによってフック本体基部に取り付けられて第１のピンのまわりに旋回可能とされ、フック本体基部からフック本体先端までのび、フック開口を閉じる閉位置と、閉位置からフック本体の内側に押し込まれてフック本体基部および先端間を開く（フック開口を開く）開位置をとり、ハンドルは、その一端において第２のピンによってフック本体中間部に取り付けられて、第２のピンのまわりに、フック本体から最も遠ざかる第１の位置とフック本体に最も近づく第２の位置との間で旋回可能とされ、ハンドルの他端はフック本体基部までのびている。
【０００４】
さらに、特許文献１に記載のフックにおいては、ハンドルの他端側に形成されたガイド溝と、ガイド溝に挿通されかつストッパに固定されたガイドピンとによって、ハンドルおよびストッパが連結されている。ガイド溝は、ハンドルの長手方向にのびる円弧状の第１の部分と、第１の部分の一端からハンドルの幅方向にのびる第２の部分とから構成されている。
【０００５】
そして、ストッパが閉位置をとりかつハンドルが第１の位置をとるとき、ガイドピンがガイド溝の第２の部分に位置し、ストッパが閉位置にロックされるようになっており、ストッパおよびフック本体間にストッパを常時閉位置に向けて付勢する第１のバネが配置され、ハンドルおよびフック本体間にハンドルを常時第１の位置に向けて付勢する第２のバネが配置されている。
【０００６】
一方、特許文献２に記載のフックにおいては、ストッパとハンドルがロック部材を介して連結されている。この場合、ストッパの他端とロック部材の一端とが第３のピンによって旋回可能に連結され、また、ロック部材の他端側には、ロック部材の長手方向にのびる円弧状の第１の部分と、第１の部分の一端からロック部材の幅方向にのびる第２の部分とからなるガイド溝が設けられている。
さらに、ロック部材の他端とハンドルの他端が重ね合わされ、ハンドルに、ロック部材のガイド溝内に突出するガイドピン（第３ピン）が設けられることで、ロック部材とハンドルが連結されている。
【０００７】
そして、ストッパが閉位置をとりかつハンドルが第１の位置をとるとき、ガイドピンがロック部材のガイド溝の第２の部分に位置し、ストッパが閉位置にロックされるようになっており、さらに、第２のピンのまわりにバネが取り付けられ、このバネによって、ストッパが常時閉位置に向けて付勢され、かつ、ロック部材が常時ハンドルを第１の位置に位置させる向きに付勢されている。
【０００８】
これらの従来のフックでは、常時は、ハンドルおよびストッパがそれぞれ第１の位置および閉位置をとり、ストッパは閉位置にロックされてフック開口は閉じている。そして、フックの使用時には、まず、ハンドルとストッパの中間部分とを手で握り、ハンドルおよびストッパをそれぞれ第２の位置側および開位置側に旋回させてロックを解除し、次いで、ハンドルとストッパの中間部分とを手で握った状態でハンドルおよびストッパをそれぞれ第２の位置および開位置まで旋回させて、フック開口を開くようになっている。
【０００９】
しかしながら、この構成においては、図４（Ｂ）に示すように、フック開口１９が開いた状態で、使用者の手指（人差し指、中指等）２０がストッパ２１の中間部分に掛かっており、フックを固定用構造物２２（図４（Ｂ）では、固定用構造物として足場のパイプが描いてある）に係止しまた固定用構造物２２から取り外す際に、使用者の手指２０がフック開口１９の一部を塞いで邪魔になるという問題がある。
【００１０】
この問題は、例えば、フックが固定用構造物としての足場のパイプ専用として製作され、フック開口がパイプ径に合わせた寸法に設計されている場合に特に顕著となっている。
【先行技術文献】
【特許文献】
【００１１】
【特許文献１】実開平５−６２２７０号公報
【特許文献２】特許３２８７９１８号公報
【発明の概要】
【発明が解決しようとする課題】
【００１２】
したがって、本発明の課題は、固定用構造物への係止およびそれからの取り外しが円滑に行えるフックを提供することにある。
【課題を解決するための手段】
【００１３】
上記課題を解決するため、本発明は、高所作業用安全帯の命綱の先端に備えられ、前記命綱を前記高所作業現場の固定用構造物に係止するためのフックであって、命綱連結用開口を備えた基端部と、前記基端部からのびる中間部と、前記中間部の先端に接続された逆Ｕ字状の先端部とからなる鉤形状を有するフック本体と、ベース部分および前記ベース部分からのびる腕部分からなるレバー形状を有し、前記フック本体の内側縁側に配置されるとともに、前記ベース部分が第１のピンによって前記フック本体の前記中間部の前記基端部側に取り付けられて前記第１のピンのまわりに旋回可能とされたストッパと、を備え、前記ストッパは、前記腕部分が前記フック本体の前記中間部から前記フック本体の先端までのびる閉位置と、前記腕部分が前記閉位置から内向きに押し込まれて前記フック本体の前記基端部および先端間を開く開位置とをとり、さらに、レバー形状を有し、前記フック本体の外側縁側に配置されるとともに、一端が第２のピンによって前記フック本体の前記中間部の前記先端部側に取り付けられて、前記第２のピンのまわりに、前記フック本体から最も遠ざかる第１の位置と、前記フック本体に最も近づく第２の位置との間で旋回可能とされたハンドルを備え、前記ハンドルの他端側には、前記ハンドルの幅方向にのびる第１の部分と、前記第１の部分の前記第１のピンから遠い方の端に接続し、前記遠い方の端から前記第１のピンから遠ざかる向きに前記ハンドルの長さ方向にのびる第２の部分とからなるガイド溝が形成され、前記ストッパの前記ベース部分と前記ハンドルが部分的に重なるとともに、前記ストッパの前記ベース部分には、前記ハンドルの前記ガイド溝内に突出するガイドピンが設けられ、前記ストッパが前記閉位置をとりかつ前記ハンドルが前記第１の位置をとるとき、前記ガイドピンが前記ガイド溝の前記第１の部分内に位置することによって前記ストッパが前記閉位置にロックされ、このとき、前記第１のピンから前記ガイドピンに向かってのびる直線が、前記フック本体の基端部から前記先端部に向かってのびる前記フック本体の中心軸に対して鈍角をなしており、さらに、前記フック本体および前記ストッパ間に配置され、前記ストッパを前記閉位置に向けて付勢する第１のバネと、前記フック本体および前記ハンドル間に配置され、前記ハンドルを前記第１の位置に向けて付勢する第２のバネと、を備え、前記ストッパがロックされた位置から、前記ハンドルが前記第２の位置まで旋回せしめられるとき、前記ガイドピンが前記ガイド溝の前記第１の部分から前記第２の部分に進入してロックが解除された後、前記ガイドピンが前記ガイド溝の前記第２の部分に沿って移動し、それによって前記ストッパが前記開位置まで旋回せしめられるものであることを特徴とするフックを構成したものである。
【００１４】
上記構成において、好ましくは、前記フック本体は平板状に形成され、前記ストッパは、対向する細長い一対の第１の壁と、前記一対の第１の壁の一側縁同士を接続する第２の壁とからなっていて、断面がコ字状であり、前記ストッパの前記ベース部分が前記フック本体の前記中間部に外側から嵌め込まれた状態で前記第１のピンによって前記フック本体に取り付けられ、前記ハンドルは、対向する細長い一対の側壁と、前記一対の側壁の一側縁同士を接続する接続壁とからなっていて、断面がコ字状であり、前記ハンドルが前記フック本体に外側から嵌め込まれた状態で前記第２のピンによって前記フック本体に取り付けられ、前記ハンドルの前記一対の側壁のそれぞれに前記ガイド溝が設けられ、前記ハンドルが部分的に前記フック本体および前記ストッパの前記ベース部分間に挿入される配置または前記ストッパの前記ベース部分の上に重なる配置で、前記ストッパの前記一対の第１の壁にそれぞれ、関係する前記ガイド溝内に突出する前記ガイドピンが設けられている。
【００１５】
また好ましくは、前記ハンドルの前記ガイド溝の前記第２の部分は、前記第１のピン側に凹となる弧状に形成されている。
【発明の効果】
【００１６】
本発明によれば、フック本体の内側縁側および外側縁側にそれぞれストッパおよびハンドルが配置され、ストッパが、フック本体の中間部の基端部側において、第１のピンのまわりに、フック開口を閉じる閉位置と開く開位置の間で旋回可能に取り付けられ、ハンドルが、フック本体の中間部の先端部側において、第２のピンのまわりに、フック本体から最も遠ざかる第１の位置とフック本体に最も近づく第２の位置の間で旋回可能に取り付けられる。さらに、ハンドルのガイド溝と、ガイド溝内に突出するストッパのガイドピンによって、ハンドルとストッパが連結される。
【００１７】
さらに、ストッパが第１のバネによって閉位置に向けて付勢されるとともに、ハンドルが第２のバネによって第１の位置に向けて付勢され、そして、ストッパが閉位置をとりかつハンドルが第１の位置をとるとき、ガイドピンがガイド溝の第１の部分に位置し、ストッパが閉位置にロックされる。このとき、第１のピンからガイドピンに向かってのびる直線が、フック本体の基端部から先端部に向かってのびるフック本体の中心軸に対して鈍角をなしている。
【００１８】
こうして、常時は、ハンドルおよびストッパがそれぞれ第１の位置および閉位置をとり、ストッパは閉位置にロックされてフック開口は閉じている。
そして、フックの使用時には、ハンドルとフック本体の基端部とを手で握ってハンドルを第２の位置側に旋回させると、まず、ガイドピンがガイド溝の第２の部分に進入してストッパのロックが解除され、続いてガイドピンが当該第２の部分に沿って移動し、それに伴ってストッパが開位置側に旋回し、ハンドルが第２の位置に達したとき、ストッパが開位置に到達してフック開口が開く。
【００１９】
本発明によれば、フック本体の基端部とハンドルを手で握り、ストッパに手指を掛けることなくハンドルの操作だけで、ストッパのロックを解除して、ストッパを閉位置から開位置まで旋回させることができ、フックの固定用構造物への係止または固定用構造物からの取り外しの際に、使用者の手指がフック開口の一部を塞いでしまうことがない。
それによって、固定用構造物としてのパイプ専用のフックとした場合にも、フックのパイプへの係止およびパイプからの取り外しを円滑に行うことができる。
【図面の簡単な説明】
【００２０】
【図１】本発明の１実施例による高所作業用安全帯のフックの分解斜視図である。
【図２】図１に示したフックの平面図であり、ストッパが閉位置をとったときの状態を示したものである。
【図３】図１に示したフックの平面図であり、ストッパが開位置をとったときの状態を示したものである。
【図４】（Ａ）は図１のフックを手で握ってフック開口を開いた状態を示す図であり、（Ｂ）は従来のフックを手で握ってフック開口を開いた状態を示す図である。
【発明を実施するための形態】
【００２１】
以下、添付図面を参照しつつ、本発明の構成を好ましい実施例に基づいて説明する。
図１は、本発明の１実施例による高所作業用安全帯のフックの分解斜視図である。また、図２および図３は図１に示したフックの平面図であり、図２はストッパが閉位置をとったときの状態を示し、図３はストッパが開位置をとったときの状態を示している。
【００２２】
図１〜図３を参照して、本発明によれば、命綱連結用開口５を備えた基端部２と、基端部２からのびる中間部３と、中間部３の先端に接続された逆Ｕ字状の先端部４とからなる鉤形状を有するフック本体１が備えられる。フック本体１は、この実施例では、平板状をなしている。
【００２３】
また、本発明によれば、フック本体１の内側縁１ｂ側にストッパ６が取り付けられる。
ストッパ６は、この実施例では、対向する細長い一対の第１の壁６ａ、６ｂと、一対の第１の壁６ａ、６ｂの一側縁同士を接続する第２の壁６ｃとからなる、断面がコ字状の部材として形成され、ベース部分７およびベース部分７からのびる腕部分８からなるレバー形状を有している。
【００２４】
そして、ストッパ６は、ベース部分７がフック本体１の中間部３に外側から嵌め込まれた状態で、ベース部分７において第１のピン９によって中間部３の基端部２側に取り付けられ、第１のピン９のまわりに、腕部分８がフック本体１の中間部３からフック本体１の先端１ａまでのび、フック開口１ｄを閉じる閉位置（図２参照）と、腕部分８が閉位置から内向きに押し込まれてフック本体１の基端部２および先端１ａ間を開く（フック開口１ｄを開く）開位置（図３参照）との間で旋回し得る。
この場合、ストッパ６が閉位置をとるとき、ストッパ６の第２の壁６ｃの先端の外面がフック本体１の先端１ａに当接し、ストッパ６の閉位置から外向きの旋回が規制される。
【００２５】
さらに、本発明によれば、フック本体１の外側縁１ｃ側に、レバー形状を有するハンドル１０が取り付けられる。
ハンドル１０は、この実施例では、対向する細長い一対の側壁１０ａ、１０ｂと、一対の側壁１０ａ、１０ｂの一側縁同士を接続する接続壁１０ｃとからなる、断面がコ字状の部材として形成されている。
【００２６】
そして、ハンドル１０は、フック本体１に外側から嵌め込まれた状態で、一端において第２のピン１１によってフック本体１の中間部３の先端部２側に取り付けられ、第２のピン１１のまわりに、フック本体１から最も遠ざかる第１の位置（図２参照）と、フック本体１に最も近づく第２の位置（図３参照）との間で旋回し得る。
【００２７】
ハンドル１０の他端はフック本体１の基端部２までのびており、また、ハンドルの他端側にはガイド溝１２が設けられている。
ガイド溝１２は、ハンドル１０の一対の側壁１０ａ、１０ｂのそれぞれに設けられ、ハンドル１０の幅方向にのびる第１の部分１２ａと、第１の部分１２ａの第１のピン９から遠い方の端に接続し、当該遠い方の端から第１のピン９から遠ざかる向きにハンドル１０の長さ方向にのびる第２の部分１２ｂとからなっている。
ガイド溝１２の第２の部分１２ｂは、好ましくは、第１のピン９側に凹となる弧状に形成されている。
【００２８】
さらに、ハンドル１０が部分的にフック本体１およびストッパ６のベース部分７間に挿入される配置またはストッパ６のベース部分７の上に重なる配置で、ストッパ６の一対の第１の壁６ａ、６ｂにそれぞれ、関係するガイド溝１２内に突出するガイドピン１３が設けられ、それによって、ハンドル１０とストッパ６が連結される。
【００２９】
こうして、図２に示すように、ストッパ６が閉位置をとりかつハンドル１０が第１の位置をとるとき、ガイドピン１３がガイド溝１２の第１の部分１２ａ内に位置することによってストッパ６が閉位置にロックされる。
このストッパがロックされた位置で、第１のピン９からガイドピン１３に向かってのびる直線Ｌ１が、フック本体１の基端部２から先端部４に向かってのびるフック本体１の中心軸Ｌ２に対して鈍角をなすように設計がなされることが重要である（図２中の角度θ参照）。
【００３０】
また、本発明によれば、フック本体１の中間部３における、ストッパ６が常時重なる領域にバネ収容スリット３ａが設けられる。バネ収容スリット３ａは、フック本体の長手方向に、好ましくは、第１のピン９を中心とする円弧状にのびている。そして、バネ収容スリット３ａ内に、第１のバネ（つる巻きバネ）１４が収容されてスリット３ａの全長にわたってのびている。
【００３１】
また、ストッパ６には、バネ収容スリット３ａを貫通して一対の第１の壁６ａ、６ｂ間にのび、かつ第１のバネ１４におけるフック本体１の先端側の端に当接する当接ピン１６が取り付けられ、ストッパ６が第１のバネ１４によって常時閉位置に向けて付勢される。
【００３２】
フック本体１の中間部３の外側縁には切欠き３ｂが設けられ、切欠き３ｂとハンドル１０の接続壁１０ｃとの間には、第２のバネ（つる巻きバネ）１５が配置され、ハンドル１０が常時第１の位置に向けて付勢される。
【００３３】
本発明のフックにおいては、常時は、ハンドル１０およびストッパ６がそれぞれ第１の位置および閉位置をとり、ストッパは閉位置にロックされてフック開口は閉じている（図２参照）。
そして、フックの使用時には、ハンドル１０とフック本体１の基端部２とを手で握ってハンドル１０を第２の位置側に旋回させると、まず、ガイドピン１３がガイド溝１２の第２の部分１２ｂに進入してストッパ６のロックが解除され（図２の仮想線で描いた部分参照）、続いてガイドピン１３が当該第２の部分１２ｂに沿って移動し、それに伴ってストッパ６が開位置側に旋回し、ハンドル１０が第２の位置に達したとき、ストッパ６が開位置に到達してフック開口１ｄが開く（図３参照）。
【００３４】
こうして、本発明によれば、図４（Ａ）から明らかなように、フック本体１の基端部２とハンドル１０を手１７で握り、ストッパに手指を掛けることなくハンドル１０の操作だけで、ストッパ６のロックを解除して、ストッパ６を閉位置から開位置まで旋回させることができ、よって、フックの固定用構造物１８（図４（Ａ）では、固定用構造物として足場のパイプが描いてある）への係止または固定用構造物１８からの取り外しの際に、使用者の手指がフック開口１ｄの一部を塞いでしまうことがない。
それによって、固定用構造物としてのパイプ専用のフックとした場合にも、フックのパイプへの係止およびパイプからの取り外しを円滑に行うことができる。
【００３５】
以上、本発明の構成を好ましい１実施例に基づいて説明したが、本発明の構成は上記実施例に限定されるものではなく、実用新案登録請求の範囲に記載した構成の範囲内において種々の変形例を案出することができることは言うまでもない。
例えば、上記実施例では、ストッパおよびハンドルをいずれも断面がコ字状の部材としてフックを構成したが、ストッパおよびハンドルをすべて平坦な板状部材としてフックを構成することもできる。
また、上記実施例では、第１および第２のバネ１４、１５をいずれもつる巻きバネとしたが、例えば、第１および第２のバネ１４、１５を、それぞれトーションバネとして第１および第２のピン９、１１に取り付けてストッパ６およびハンドル１０を付勢する構成も可能である。
【符号の説明】
【００３６】
１  フック本体
１ａ  先端
１ｂ  内側縁
１ｃ  外側縁
１ｄ  フック開口
２  基端部
３  中間部
３ａ  バネ収容スリット
３ｂ  切欠き
４  先端部
５  命綱連結用開口
６  ストッパ
６ａ、６ｂ  第１の壁
６ｃ  第２の壁
７  ベース部分
８  腕部分
９  第１のピン
１０  ハンドル
１０ａ、１０ｂ  側壁
１０ｃ  接続壁
１１  第２のピン
１２  ガイド溝
１２ａ  第１の部分
１２ｂ  第２の部分
１３  ガイドピン
１４  第１のバネ
１５  第２のバネ
１６  当接ピン
１７  使用者の手
１８  固定用構造物（足場のパイプ）
１９  フック開口
２０  使用者の手指
２１  ストッパ
２２  固定用構造物（足場のパイプ）
Ｌ１  第１のピンからガイドピンにのびる直線
Ｌ２  フック本体の中心軸
【図１】
2016144495.tif 000003
【図２】
2016144495.tif 000004
【図３】
2016144495.tif 000005
【図４】
2016144495.tif 000006